(57)【要約】【課題】電気機器のメンテナンススペースをパッケージハウスの内部に確保するためにパッケージサイズが大型化していた。【解決手段】筐体の平面視一辺部にメンテナンス用の操作部が設けられた電気機器１と、この電気機器及びメンテナンス用具２が収容されたパッケージハウス４を備えた電気設備であって、上記電気機器を回転させ、または水平移動させる電気機器移動手段５を備え、通常運転時とメンテナンス時とで上記電気機器の向き又は位置を上記電気機器移動手段によって変えることでメンテナンス時に必要な空間が形成されるようにした。【選択図】図１
2013027188.tif 000002
【特許請求の範囲】
【請求項１】
筐体の平面視一辺部にメンテナンス用の操作部が設けられた電気機器と、この電気機器及びメンテナンス用具が収容されたパッケージハウスを備えた電気設備であって、上記電気機器を回転させ、または水平移動させる電気機器移動手段を備え、通常運転時とメンテナンス時とで上記電気機器の向き又は位置を上記電気機器移動手段によって変えることでメンテナンス時に必要な空間が形成されるようにしたことを特徴とする電気設備。
【請求項２】
上記電気機器移動手段は、上記筐体を載置する円盤状の回転テーブルを用いたものであることを特徴とする請求項１記載の電気設備。
【請求項３】
上記パッケージハウスは平面視長方形状に形成され、上記筐体は平面視長方形で上記操作部はその長辺部に設けられ、通常運転時は該パッケージハウスの長辺側と該筐体の長辺側が平行になるように配置したことを特徴とする請求項２記載の電気設備。
【請求項４】
上記パッケージハウスは平面視中央部が膨らみ長手方向両端部方向に幅が縮小するように形成され、上記回転テーブルがそのパッケージハウスの中央部に配置されていることを特徴とする請求項２記載の電気設備。
【請求項５】
上記電気機器移動手段は、上記筐体を載置する床板が水平移動されるものであることを特徴とする請求項１記載の電気設備。
【発明の詳細な説明】
【技術分野】
【０００１】
この発明は、例えば発電所などで用いられるパッケージハウス内に電気機器を収納してなる電気設備に関するものである。
【背景技術】
【０００２】
従来のパッケージハウス内に電気機器を収納した電気設備は、電気機器の前後面に例えば遮断器の引き出し等のメンテナンススペースが必要であり、また機器の側面に通路スペースが必要なため、パッケージハウスのサイズ（特に機器の前後方向）が大きくなっていた。近年発電所が沿岸部でなく内陸部にも建設されるケースが増え、輸送道路幅の制約からパッケージハウスの特に幅サイズを小さくする必要が生じ、パッケージハウスの小型化が求められている。また、発電所の構内スペースのミニマム化の要請に沿ったパッケージハウスサイズ縮小化の必要性がある。従来の変電所建屋においても変電所主要機器の周囲にメンテナンス用スペースが必要なため、変電所室内面積が大きなものになっていたので、デッドスペースとなっていた天井柱間のスペースを有効活用する技術が提案されている（例えば、特許文献１参照）。
【先行技術文献】
【特許文献】
【０００３】
【特許文献１】特開平８−１４０２２５号公報（第２頁、図１）
【発明の概要】
【発明が解決しようとする課題】
【０００４】
上記のような従来の技術においては、必要な面積を小さくできるという効果が得られるものの、天井柱間のスペースに取り付けできない機器の場合には平面サイズを縮小化することはできないという課題があった。
【０００５】
この発明は上記のような実状に鑑みてなされたものであり、パッケージハウスの設置面積を小さくできる電気設備を得ることを目的としている。
【課題を解決するための手段】
【０００６】
この発明に係る電気設備は、筐体の平面視一辺部にメンテナンス用の操作部が設けられた電気機器と、この電気機器及びメンテナンス用具が収容されたパッケージハウスを備えた電気設備であって、上記電気機器を回転させ、または水平移動させる電気機器移動手段を備え、通常運転時とメンテナンス時とで上記電気機器の向き又は位置を上記電気機器移動手段によって変えることでメンテナンス時に必要な空間が形成されるようにしたものである。
【発明の効果】
【０００７】
この発明によれば、電気機器のメンテナンスが必要となった場合に、電気機器の向き又は位置を電気機器移動手段によって変えることでメンテナンス時に必要な空間が形成されるようにしたので、パッケージハウスの設置面積を小さくできるという効果が得られる。
【図面の簡単な説明】
【０００８】
【図１】この発明の実施の形態１に係る電気設備の要部構成を示す平面図であり、（ａ）は通常運転時、（ｂ）はメンテナンス時を示す。
【図２】図１に示された回転テーブルの下部構成を模式的に説明する図であり、（ａ）は通常運転時、（ｂ）はメンテナンス時、（ｃ）は（ａ）に対応する下部構成図、（ｄ）は（ｂ）に対応する下部構成図を示す。
【図３】この発明の実施の形態２に係る電気設備の要部構成を示す平面図であり、（ａ）は通常運転時、（ｂ）はメンテナンス時を示す。
【図４】この発明の実施の形態３に係る電気設備の要部構成を示す平面図であり、（ａ）は通常運転時、（ｂ）はメンテナンス時を示す。
【発明を実施するための形態】
【０００９】
実施の形態１．
図１はこの発明の実施の形態１に係る電気設備の要部構成を示す平面図であり、（ａ）は通常運転時、（ｂ）はメンテナンス時を示す。図２は図１に示された回転テーブルの下部構成を模式的に示す図であり、（ａ）は通常運転時、（ｂ）はメンテナンス時、（ｃ）は（ａ）に対応する下部構成図、（ｄ）は（ｂ）に対応する下部構成図を示す。図において、電気設備は、電気機器１と、この電気機器１のメンテナンス用具２と、エアコン室内機３などを収容するパッケージハウス４を備えている。電気機器１の構成などは特に限定されるものではないが、この例では平面視長方形の筐体内部に遮断器１１や、図示していないタービン発電機の駆動用電源装置などが収納され、筐体の長辺部には運転時やメンテナンス時に操作を行うための複数の開閉扉１ａを有する操作部が設けられている。
【００１０】
パッケージハウス４は、平面視長方形に構成され、略中央部には電気機器１の筐体を載置した状態で回転し得る円盤状の回転テーブル５ａを用いた電気機器移動手段５が設けられている。電気機器移動手段５は図２（ａ）、（ｃ）に示すように、回転テーブル５ａと、この回転テーブル５ａの回転中心に係合された回転を支持する中心軸５ｂと、回転テーブル５ａを回転させると共に、該回転テーブル５ａの荷重を支持する放射方向及び周方向にそれぞれ複数配設されたローラ５ｃと、放射方向に設けられてローラ５ｃを回転自在に支承する一方、半径方向の位置を規制する複数のローラ支持部材５ｄと、パッケージハウス４の基礎部に固定され、上記中心軸５ｂとローラ５ｃを保持する円盤状の基礎台板５ｅからなっている。
【００１１】
なお、回転テーブル５ａは好ましくは図示省略している電動機により駆動され、図２（ａ）、（ｃ）から図２（ｂ）、（ｄ）の状態へ、またはその反対方向に回転されるが、駆動手法は特に限定されるものではなく、手動式としても良い。また、電気機器１は、回転テーブル５ａの上部に固定されたチャンネルベース５ｆ（図２（ｂ）に示す）上に固定されている。また、電気機器１に接続されたケーブル６が回転テーブル５ａの回転移動に伴って弛むのを防ぐため、床下にケーブル６を伸縮させるケーブル巻取機７を備えている。
【００１２】
パッケージハウス４には、図１に示すように電気機器１などを搬入・搬出するための扉４ａ、作業員が出入りするための出入口扉４ｂを有している。室外にはエアコン室内機３に接続されたエアコン室外機３ａが設置されている。なお、メンテナンス用具２は、この例では遮断器１１を電気機器１の筐体から出し入れするためのリフターである。なお、上記の他、外部から供給される電力の受電設備、タービン発電機建屋への送電設備などが具備されるが、これらについては図示を省略している。
【００１３】
次に上記のように構成された実施の形態１の動作について説明する。図１（ａ）に示すように、電気機器１は通常運転時にはパッケージハウス４の長辺側と電気機器１の筐体の長辺側が平行になるように配置される。このとき、電気機器１とパッケージハウス４の長辺側の側壁との間は、電気機器１の点検と、作業員の避難通路として必要な最低限の寸法
Ｌ１が両サイドにそれぞれ確保されたスペースとなっている。この状態で電気機器１の開閉扉１ａは何れも開閉可能である。また、パッケージハウス４のエアコン側の空間は、電気機器１を回転させてもエアコン室内機３と電気機器１の短辺側との寸法Ｌａがエアコン前面に必要な値を下回らないように設定されている。
【００１４】
一方、電気機器１のメンテナンス時には、回転テーブル５ａを時計方向に９０°回転させ、図１（ｂ）の状態とする。平面視長方形の電気機器１が９０°回転されることにより、図の上部側の、電気機器１とパッケージハウス４の扉４ａ側とのスペースが広がり、メンテナンスに必要な寸法Ｌ２が確保されたメンテナンス空間Ｍが形成される。例えば、電気機器１を構成する遮断器１１を、電気機器１の筐体内部からメンテナンス用具２によって矢印Ａに示すように筐体外部に引き出して、寸法Ｌ２に広がったメンテナンス空間Ｍにて部材の点検、修理、交換等のメンテナンス作業が行なわれる。
【００１５】
一方、電気機器１に接続されたケーブル６は、回転テーブル５ａの回転に連動して、余長分がケーブル巻取機７に巻き取られ、弛みや他の構成部材との干渉が防止される。なお、パッケージハウス４の室内寸法を設定する際に、上記寸法Ｌ２がメンテナンス用具２の動作に必要な寸法となるようにすることにより、パッケージハウス４のサイズが小型化される。
【００１６】
上記のように実施の形態１によれば、平面視長方形状のパッケージハウス４に、平面視長方形で操作部がその長辺部に設けられた電気機器１を円盤状の回転テーブルを用いた電気機器移動手段５上に設置し、通常運転時はパッケージハウス４の長辺側と電気機器１の長辺側が平行になるように配置し、メンテナンス時に電気機器１を９０°回転させることで、必要なメンテナンス空間Ｍが形成されるようにしたので、パッケージハウス４の図の左右方向の幅、上下方向の長さ共に最小化され、パッケージハウス４の設置面積を小さくできるという効果が得られる。このため、電気設備を狭いところに設置できるだけでなく、パッケージハウス４、あるいはパッケージハウス４に電気機器１が組込まれた電気設備を工場で製作し、需要家サイドに輸送する場合にも容易に運搬することが可能となる。
【００１７】
また、電気機器移動手段５として、円盤状の回転テーブル５ａを用いるようにしたので、メンテナンス時に電気機器１をスムーズに回転できる。また、通常運転時にはデッドスペースとなっているメンテナンス用具２の保管スペースがメンテナンス時には電気機器１の回転によって広げられ、メンテナンス空間Ｍとなって活用できるので、パッケージハウス４内部のスペースが有効に利用され、無駄がない。なお、電気機器移動手段５を構成する回転テーブル５ａの回転機構などは図示のものに限定されない。
【００１８】
実施の形態２．
図３はこの発明の実施の形態２に係る電気設備の要部構成を示す平面図であり、（ａ）は通常運転時、（ｂ）はメンテナンス時を示す。なお、各図を通じて同一または相当部分・部材には同一符号を付している。図において、パッケージハウス４は平面視長手方向の中央部が両外側に膨らみ、長手方向両端部方向に幅が縮小するように、この例では扁平的な６角形に形成され、電気機器移動手段５を構成する実施の形態１と同様の回転テーブル５ａがそのパッケージハウス４の中央部に配置されている。この実施の形態２では、パッケージハウス４は、長さが実施の形態１と同様で、幅が実施の形態１に比べて中央部が広く両端部が狭く形成されている。４隅の破線Ｂで示す部分が実施の形態１よりも狭められている。
【００１９】
上記のように構成された実施の形態２においては、パッケージハウス４の平面視長手方向の中央部を両外側に膨らませ、長手方向両端部方向に幅が縮小するように構成したので、図３（ａ）に示すように通常運転時における点検避難通路のスペースを実施の形態１よりも広くできる。このため、電気機器１の開閉扉１ａを開くことが容易となり、点検が容易にできる。電気機器１の角部とパッケージハウス４の内壁との間隔Ｌ３も実施の形態１より広くできるので、通行も容易となり、窮屈感を和らげることができる。
【００２０】
一方、メンテナンス時には図３（ｂ）に示すように回転テーブル５ａによって電気機器１を９０°回転させることで、必要な寸法Ｌ２が確保されたメンテナンス空間Ｍが形成される。このとき、電気機器１の角部とパッケージハウス４の内壁との間隔Ｌ４は通常運転時の間隔Ｌ３より若干狭まるものの、内壁が外側に膨らむように形成されているため、実施の形態１の場合よりも広く、避難通路としての通行も容易である。なお、パッケージハウス４を扁平的な６角形に形成した場合について説明したが、これに限定されるものではなく、例えば最大幅を縮小するために、最大幅部分の角部を削り、長手方向に平行な面を設けた８角形にし、あるいは電気機器１の回転軌跡に沿った滑らかな曲面状にすることも差し支えない。
【００２１】
上記のように、実施の形態２によれば、実施の形態１の効果に加えて、通常運転時及びメンテナンス時の何れの場合においても電気機器１とパッケージハウス４の内壁との間隔を広げることができ、作業環境や作業性が改善される。また、長手方向両端部の幅サイズを小さくしたことにより、パッケージハウスを載せたトラックが曲がれるカーブや交差点が増えるので、輸送道路の制約が少なくなるという効果も得られる。
【００２２】
実施の形態３．
図４はこの発明の実施の形態３に係る電気設備の要部構成を示す平面図であり、（ａ）は通常運転時、（ｂ）はメンテナンス時を示す。図において、電気機器１は図の左右方向に水平移動可能に構成された電気機器移動手段５としての水平移動台板５ｇにチャンネルベース（図示省略）を介して載置されている。なお、水平移動台板５ｇは実施の形態１のローラ５ｃが直線方向に転動するようにした一般的な構造のものであり、機構部分については図示省略する。
【００２３】
図４（ａ）の状態から水平移動台板５ｇを図の右方向に移動させる場合には、水平移動台板５ｇに隣接する台板５ｈを予め外した後に移動させ、水平移動台板５ｇの移動が完了した後に、図４（ｂ）に示すように、その外した台板５ｈを空いた床部分に敷き詰める。なお、水平移動台板５ｇ、台板５ｈを用いる代わりに、例えばコンベアやいわゆる「動く歩道」のように無端状に連結した構造として、台板５ｈの移動作業が不要となるようにしても良い。
【００２４】
上記実施の形態３の場合、通常運転時は電気機器１が図４（ａ）の状態に置かれ、電気機器１の開閉扉１ａは何れも開閉可能で、電気機器１の前方側（左側）の空間も広く、出入口扉４ｂの側に位置しているので点検作業も容易で、避難時の問題もない。なお、背面側（右側）には開閉扉１ａを十分に開けられる寸法Ｌ５のサブメンテナンス空間Ｍａが形成されている。メンテナンス時は、電気機器移動手段５によって電気機器１を図４（ｂ）の状態に移動させることで、前方側に必要な寸法Ｌ２が確保されたメンテナンス空間Ｍが形成され、メンテナンス用具２による遮断器１１の取外し、取付けを容易に行うことができる。なお、上記背面側の開閉扉１ａは開けられなくなるので、必要な作業は移動前に済ますことで対応できる。
【００２５】
上記のように実施の形態３によれば、電気機器１を回転させないので移動機構を簡略化できる。また、短辺方向（図の左右方向）の寸法を小さくすることができる。なお、電気機器移動手段５を構成する水平移動機構は上記例示されたものに限定されない。
なお、上記実施の形態では電気機器１がタービン発電機の駆動用電源装置の場合について説明したが、これに限定されないことは言うまでもない。また、メンテナンス用具２はリフターに限定されず、また複数種類の用具や器具・装置類等であっても良い。
【符号の説明】
【００２６】
１  電気機器、  １ａ  開閉扉、  ２  メンテナンス用具、  ３  エアコン室内機、  ３ａ  エアコン室外機、  ４  パッケージハウス、  ４ａ  扉、  ４ｂ  出入口扉、  ５  電気機器移動手段、  ５ａ  回転テーブル、  ５ｂ  中心軸、  ５ｃ  ローラ、  ５ｄ  ローラ支持部材、  ５ｅ  基礎台板、  ５ｆ  チャンネルベース、  ５ｇ  水平移動台板、  ５ｈ  台板、  ６  ケーブル、  ７  ケーブル巻取機、  １１  遮断器、  Ｍ  メンテナンス空間。
【図１】
2013027188.tif 000003
【図２】
2013027188.tif 000004
【図３】
2013027188.tif 000005
【図４】
2013027188.tif 000006